(57)【特許請求の範囲】
【請求項１】
二本一対のブレスと、少なくとも一本の手摺と、手摺の中間に設けたブラケットとからなり、各ブレスにブラケットが各ブレスの中間交差位置において回転自在に軸支されているブレス装置において、ブラケットを手摺と直交する方向に結合した支持片と支持片から水平方向に向けて連設した板状ストップ片とで構成させ、ストップ片を各ブレスの交差位置上方に差し込み、支持片を一対のブレスの交差位置に軸支させたことを特徴とするブレス装置。
【請求項２】
ストップ片の端部に支持片と対向する保持片を設け、支持片と保持片とで二本のブレスを挾持すると共に支持片と二本のブレスと保持片とを軸支させている請求項１のブレス装置。
【発明の詳細な説明】
【０００１】
【発明の属する技術分野】
本発明は、建築や土木の工事現場で使用される仮設枠組足場に使用する手摺付ブレス装置に関する。
【０００２】
【従来の技術】
従来の仮設枠組足場では、例えば鳥居型や門型の建枠を所定間隔をおいて並設し、これらの対向する建枠どうしをこれらの上下端部で足場板およびＸ字状に交差するブレスにより連結し、さらに上方にはジョイントを用いて同様の建枠を上方へ継ぎ足すようにして、所望の高さに組み立てられている。
【０００３】
ところが、このような建枠に連結されたブレスと、建枠の上端部または下端部にこれらを連結するように取り付けられた足場板との間に、大きな空間が生じることによって、その足場板上で作業する作業員が不用意にその足場板から足を踏み外した場合に、その空間から体ごと下方へ落下する危険がある。
【０００４】
一方、これに対し、対向する建枠の上端部間や下端部間、あるいは建枠に連結される各ブレスの上端部間や下端部間に手摺を設けた仮設枠組足場が、例えば特開平１１−１０７５１８号公報に示されている。これによれば、上記手摺の設置によって、足場板上からの作業員の落下を防止できるとしている。
【０００５】
【発明が解決しようとする課題】
しかしながら、このような従来の仮設枠組足場にあっても、手摺が足場板上の作業員が手で容易に握れる高さ、いいかえればブレスの中間付近に無いため、実質的な手摺としての利用が困難であるという課題があった。また、このような手摺は仮設枠組足場の組立時または分解時に建枠やブレスに装着したり分離したりする作業が面倒となっており特に足場組立能率の大幅な低下を招くという問題があった。
【０００６】
本発明は上記問題を解決するものであり、足場板上の作業員が手で容易に握ることができる中間高さに、手摺を配置できるとともに、ブレスおよび足場板間の空間およびブレス両サイドの空間を小さくでき、さらに手摺をブレスとともに折畳み可能に組み付けることで、これらの収納、運搬および仮設枠組足場への装着を容易かつ迅速に行うことができる手摺付ブレス装置を提供することを目的とする。
【０００７】
【課題を解決するための手段】
上記の目的を達成するため、本発明の一つの手段は、二本一対のブレスと、少なくとも一本の手摺と、手摺の中間に設けたブラケットとからなり、各ブレスにブラケットが各ブレスの中間交差位置において回転自在に軸支されているブレス装置において、ブラケットを手摺と直交する方向に結合した支持片と支持片から水平方向に向けて連設した板状ストップ片とで構成させ、ストップ片を各ブレスの交差位置上方に差し込み、支持片を一対のブレスの交差位置に軸支させたことを特徴とするものである。
【０００８】
この場合、ストップ片の端部に支持片と対向する保持片を設け、支持片と保持片とで二本のブレスを挾持すると共に支持片と二本のブレスと保持片とを軸支させているのが好ましい。
【０００９】
【発明の実施の形態】
以下、本発明の実施の形態を図にもとづいて説明する。
【００１０】
本発明のブレス装置の基本は図１に示すように、二本一対のブレス１，２と、少なくとも一本の手摺５と、手摺５の中間に設けたブラケット６とからなり、各ブレス１，２にブラケット６が各ブレス１，２の中間交差位置において回転自在に軸支されているものである。そしてブラケット６を図３，図４に示すように、支持片６Ａと支持片６Ａから水平方向に向けて連設した板状ストップ片６Ｂとで構成し、ストップ片６Ｂを各ブレス１，２の交差位置上方に差し込み、支持片６Ａを一対のブレス１，２の交差位置に軸３を介して軸支させている。
【００１１】
この場合、支持片６Ａが手摺５と直交する方向、即ち垂直に結合されている。
更に図４に示すように、ストップ片６Ｂの端部に支持片６Ａと対向する保持片６Ｃを設け、支持片６Ａと保持片６Ｃとで二本のブレス１，２を挾持すると共に支持片６Ａと二本のブレス１，２と保持片６Ｃとを軸３で一緒に軸支させている。
但し保持片６Ｃは無くても使用可能である。
【００１２】
以下、更に詳しく述べる。
【００１３】
図１および図２は本発明の手摺付ブレス装置を示す正面図および平面図であり、ここでは、２本のブレス１，２が交差位置において支軸３により軸支されている。これらのブレス１，２の両端は、仮設枠組足場の建枠Ｐを構成する一対の縦材４，４にグラビティロックピン４ａを利用したグラビティロック機構により着脱可能に連結される。なお、この連結構造として、着脱作業が容易かつ迅速に行なえるピンに孔を通してロックを掛けるという周知のいずれの構造も採用できる。
【００１４】
また、上記一対の縦材４，４間には手摺５が架設されるものである。この手摺５の中央部には、上方に向うようにブラケット６が突設されており、このブラケット６が、上記ブレス１，２を軸支する支軸３に軸支されている。従って、これらの各ブレス１，２および手摺５は、図３，図４に示すように一つの支軸３を中心に回動操作自在とされている。
【００１５】
上記手摺５は、両端部に図１および図２に示すような略Ｌ字状のブラケット５Ａを一体に有し、このブラケット５Ａを介して縦材４に着脱自在に結合されるようになっている。
【００１６】
図１において、手摺５の下方に臨む各ブレス１，２には、中桟１０が架設されている。すなわち、この中桟１０は、一端が一方のブレス１の下端部付近にグラビティロックピン４ｂ支軸によって回転自在に軸支され、多端が他方のブレス２の下端部付近にリング１２を介してスライド自在に挿入されている。
【００１７】
さらに図５において、建枠Ｐを構成する前後の縦材４，４間には、これらを上部で連結する水平材１３が架設され、上部の水平材１３および各縦材間に、これらの変形や座屈を防止するために、梯子形の横材１４ａを備えた補強部材１４などが連結されている。なお、対向する水平材１３，１３には作業用の足場板１５が周知の係止方法により架設される。
【００１８】
この発明の手摺付ブレス装置は、上記のように構成されて建枠Ｐを構成する各縦材４に取り付けられるが、建築工事の完了に伴い、手摺付ブレス装置は次のようにして建枠Ｐ本体から取り外される。まず、手摺５両端のブラケット５Ａをはずし、その手摺５の両端を各縦材４に対してフリーにする。このとき、手摺５は中央部のブラケット６の支軸３を介して略々水平状態のままブレス１，２に支持される。そして、この状態にて手摺５に対してブレス１，２を図１中の矢印Ｘ，Ｙ方向に回動して、手摺５とブレス１，２を折り畳んで重ねるようにする。この時中桟１０のリング１２はＺ方向にスライドし、ブレス２から抜け落ちることなく、ブレス１に沿わせて重ねることができる。
【００１９】
また、この手摺付ブレス装置は、仮設枠組足場への組込み時に、図１に示すようにＸ状に拡げられる。このとき手摺５は足場板１５に対して例えば約９０ｃｍ程度の上方に位置することとなるため、作業員が作業中にこの手摺５を容易に手で掴むことができ、安全かつ迅速に作業を進めることができる。
【００２０】
さらに、各ブレス１の下方であって、足場板１５の上方にはこれらの間の空間を遮るように中桟１０が設けられることで、この中桟１０が作業員の脚部に接触可能となり、作業員が誤って足場板１５から足を踏み外さないようにし、これにより作業員が上記空間を通して落下するのを未然に回避することができる。
【００２１】
また、ブレス１，２、手摺５および中桟１０を棒状に重ね合わせてコンパクト化できるため、これらの運搬、収納および仮設枠組足場への装着が容易、迅速かつローコストに行えるという利点が得られる。
【００２２】
次にブレス装置の取付行程を説明する。
【００２３】
ブレス１，２と手摺５は最初ほぼ水平に重ねられているが、これを建枠Ｐ，Ｐに架設する時、各ブレス１，２を矢印Ｑ方向に回動してＸ字状に拡げ、次いでブレス１，２の上端部と下端部とで縦材４の各グラビティロックピン４ａに引掛け、次いで手摺５の両端をブラケット５Ａを介して縦材４に結合する。
【００２４】
ここで注目すべきことは、ブラケット６のストッパ片６Ｂが各ブレス１，２の交差位置上方に差し込まれ、このストッパ片６Ｂが板状に形成されているから、このストッパ片６Ｂの両サイドが各ブレス１，２に当接し、支持されている。
【００２５】
この為、支持片６Ａが常に下方に向けて垂直に起立し、その結果手摺５が常に水平に配置され、ぶらぶらと回転するのが防止される。この為、ブレス１，２を縦材４，４に結合すれば必然的に手摺５が水平に配置され、ブラケット５Ａを補強部材１４の横材１４ａに干渉することなく縦材４に結合できる。
【００２６】
もし、上記のストップ片６Ｂが存在していないと、手摺５が支軸３を中心に回動してぶらぶらし、ブレス１，２を縦材４に結合した時、この手摺５が傾斜する状態が発生し、これを水平に回動しょうとした時両端のブラケット５Ａが補強材１４の横材１４ａに引掛って水平に出来ない場合がある。しかるに本発明では、上記のように手摺５がブレス１，２の結合時に水平となっているから横材１４ａに引掛っかからないように位置合せが可能となる。
【００２７】
更に、ブレス１，２を折り畳んだ状態から図１に示すようにＸ字状に拡げて縦材４，４に架設する場合、ブレス１，２が拡がるにつれて中桟１０は図１のように水平となる方向に向けて回動する。ここで注目すべきことは、本発明ではブラケット６のストッパ片６Ｂが各ブレス１，２の交差位置の上方に差し込まれているため、ブレス１，２の上部を矢印Ｑ，Ｑ方向に回動して拡げた時最大位置まで拡大した時このブレス１，２がストッパ片６Ｂの両サイドに当接し、それ以上回動するのが阻止される。この為、誤ってブレス１，２を回動しすぎるのを防止でき、ブレス１，２が垂直となって重ね合わされることが無い。即ち、もしストップ片６Ｂが無いとすると、ブレス１，２が矢印Ｑ方向に回動し、回動しすぎた結果垂直状態になってしまう場合がある。この場合には中桟１０のリング１２が下方にスライドして抜けてしまうおそれがある。しかるに本発明ではストッパ片６Ｂでブレス１，２の回動量を規制するからブレス１，２が垂直状態にならず、リング１２が抜け出ることが無い。
【００２８】
【発明の効果】
各請求項の発明によれば、ブラケットのストップ片がブレス間に差し込まれているから、このストップ片がブレスに支持されて手摺を水平に保持すると共にブレスの回動量を規制する。
【００２９】
その結果、ブレス装置を建枠に架設する時手摺を水平状態にしたまま他の部材と干渉することなく所定の取付け位置に結合できる。
【図面の簡単な説明】
【図１】本発明の一実施の形態に係るブレス装置の正面図である。
【図２】図１のＡ−Ａ線から見た平面図である。
【図３】（Ａ）（Ｂ）はブラケット部材の拡大平面図と正面図である。
【図４】図３（Ｂ）のＢ−Ｂ線断面図である。
【図５】図１の右側面図である。
【符号の説明】
１，２  ブレス
５  手摺
６  ブラケット
６Ａ  支持片
６Ｂ  ストップ片
６Ｃ  保持片
【図１】
0004554832.tif 000002
【図２】
0004554832.tif 000003
【図３】
0004554832.tif 000004
【図４】
0004554832.tif 000005
【図５】
0004554832.tif 000006